(57)【要約】【課題】プラグの嵌合に係わる主要部に一切の変更を加えることなく、ＨＤＭＩ（登録商標）規格に適用可能な接続感知機能付きレセプタクルを提供する。【解決手段】プラグＰの挿抜を感知できる接続感知機能付きレセプタクル１であって、プラグＰが挿抜されるプラグ挿抜口２の奥部に、プラグＰが当接することで弾性変形する揺動コンタクト４０Ａと、揺動コンタクト４０Ａと接触離間する被接触コンタクト４０Ｂとを有する２レバー式の挿入検知スイッチ４０Ｃを配設した。詳しくは、レセプタクル本体６に、プラグ挿抜口２に挿入されたプラグＰの先端と対向するようにして、プラグＰの挿入方向に窪んだ収容部７１Ｙを設け、収容部７１Ｙに、揺動コンタクト４０Ａと被接触コンタクト４０Ｂとを装着した。【選択図】図３
2008262776.tif 000002
【特許請求の範囲】
【請求項１】
プラグの挿抜を感知できる接続感知機能付きレセプタクルであって、
プラグが挿抜されるプラグ挿抜口の奥部に、上記プラグが当接することで弾性変形する揺動コンタクトと、該揺動コンタクトと接触離間する被接触コンタクトとを有する２レバー式の挿入検知スイッチを配設したことを特徴とする接続感知機能付きレセプタクル。
【請求項２】
レセプタクル本体に、上記プラグ挿抜口に挿入されたプラグの先端と対向するようにして、上記プラグの挿入方向に窪んだ収容部を設け、
該収容部に、上記揺動コンタクトと上記被接触コンタクトとを装着した請求項１に記載の接続感知機能付きレセプタクル。
【請求項３】
上記挿入検知スイッチは、上記プラグ挿抜口に上記プラグが挿入されていないときには上記揺動コンタクトが上記被接触コンタクトから離間しており、上記プラグ挿抜口に上記プラグが挿入されたときにはそのプラグが当接することで上記揺動コンタクトが弾性変形して上記被接触コンタクトと接触する常開接点タイプである請求項１又は２に記載の接続感知機能付きレセプタクル。
【請求項４】
上記挿入検知スイッチは、上記プラグ挿抜口に上記プラグが挿入されていないときには上記揺動コンタクトが上記被接触コンタクトと接触しており、上記プラグ挿抜口に上記プラグが挿入されたときにはそのプラグが当接することで上記揺動コンタクトが弾性変形して上記被接触コンタクトから離間する常閉接点タイプである請求項１又は２に記載の接続感知機能付きレセプタクル。
【請求項５】
請求項１〜４のいずれかに記載の接続感知機能付きレセプタクルを回路基板に実装した構造であって、
上記回路基板に、上記揺動コンタクトと上記被接触コンタクトとの接触離間を検出するための電気回路を設け、
該電気回路は、上記揺動コンタクト及び上記被接触コンタクトの一方に接続された電源ラインと、他方に接続されたアースラインと、上記揺動コンタクトと上記被接触コンタクトとが接触したとき、これら両コンタクトがアースされることで、一方のコンタクトに印加されている電圧が変化することを検出するための検出ラインとを有する接続感知機能付きレセプタクルの実装構造。
【発明の詳細な説明】
【技術分野】
【０００１】
本発明は、プラグが接続されたことを感知する接続感知機能付きレセプタクル及びその実装構造に関する。
【背景技術】
【０００２】
新鋭のＴＶセットには、アナログビデオ、デジタルビデオ、各種ゲーム、パソコン、オーディオ等の種々外部電子機器のプラグとの接続のため、幾つもの専用ソケット（レセプタクル）が用意されている。このような場合、如何なる外部電子機器がＴＶセットに接続されているかを、ＴＶセット自身で認識できることが望ましい。斯様なニーズに応え、プラグがレセプタクルに嵌合し、両者が電気的に接続したことを感知し得るスイッチ付きレセプタクル（接続感知機能付きレセプタクル）が提案されている。
【０００３】
例えば、図７に示すように、ソケットコネクタ（以下ソケット）ａとプラグコネクタ（以下プラグ）ｂとの組み合わせから成るコネクタ装置ｃにおいて、ソケットａに、互いに対向する対のスイッチ片ｄとｅ、ｆとｇを設け、プラグｂに、ソケットａとプラグｂとが結合したときに前記スイッチ片ｅとｄ、ｇとｆを互いに接触させる突起物ｈ、ｉを設け、第１のスイッチ片ｄを接続監視回路ｊに接続し、第２のスイッチ片ｅをラインｋで第３のスイッチ片ｇに接続し、第４のスイッチ片ｆを接地（アース）したものが知られている（特許文献１参照）。
【０００４】
このものにおいては、ソケットａとプラグｂの接続状態の監視信号を、プラグｂの未接続時には、ＴＴＬ  Ｈｉｇｈレベル、接続時には、Ｌｏｗレベルとして送出する事ができ、接続監視回路ｊで受信した信号レベルによって、ソケットａとプラグｂとの接続状況を判断できるようになっている。
【０００５】
【特許文献１】特開平１１−４０２７９号公報
【発明の開示】
【発明が解決しようとする課題】
【０００６】
ところで、上述したものは、ソケットａとプラグｂの接続状況を判断するため、第１〜第４のスイッチ 片ｄ、ｅ、ｆ、ｇをソケットａに、突起物ｈ、ｉをプラグｂに夫々設けなければならないので、既存のソケットａ並びにプラグｂを大幅に改造しなければ成立しない。勿論、コストアップも少なくない。また、スイッチ片ｄ、ｅ、ｆ、ｇをソケットａの両側部に、突起物ｈ、ｉをプラグｂの両側部に夫々設けているため、ソケットａ及びプラグｂが幅方向に大型化してしまう。更に上記４つのスイッチ 片ｄ、ｅ、ｆ、ｇを直列に配線しなければならない。
【０００７】
よって、規格によってその形状等が細かく決められたソケット・プラグ、例えばＨＤＭＩ（登録商標：High  Definition  Multimedia  Interface） 規格のソケット（以下レセプタクル）・プラグに上記発明を適用せんとする場合には、同規格そのものを先んじて改定する必要がある。換言すれば、このような規格で律されたレセプタクル・プラグにあっては、上述の発明を援用することは適わなかったのである。
【０００８】
本発明はこれらの点に鑑みて成されたものであって、その目的は、プラグがレセプタクルに嵌合して両者が電気的に接続したことを感知し得る機能を備えた接続感知機能付きレセプタクルにおいて、規格によってその形状等が細かく定められたレセプタクルとプラグ、より具体的にはＨＤＭＩ規格のレセプタクル・プラグに適用し得る、即ちレセプタクルとプラグの嵌合に係わる主要部に一切の変更を加えることなく、しかも実装性なども損なうことのない接続感知機能付きレセプタクル及びその実装構造を提供することにある。
【課題を解決するための手段】
【０００９】
上記目的を達成するために創案された第１の発明は、プラグの挿抜を感知できる接続感知機能付きレセプタクルであって、プラグが挿抜されるプラグ挿抜口の奥部に、上記プラグが当接することで弾性変形する揺動コンタクトと、該揺動コンタクトと接触離間する被接触コンタクトとを有する２レバー式の挿入検知スイッチを配設したものである。
【００１０】
レセプタクル本体に、上記プラグ挿抜口に挿入されたプラグの先端と対向するようにして、上記プラグの挿入方向に窪んだ収容部を設け、該収容部に、上記揺動コンタクトと上記被接触コンタクトとを装着してもよい。
【００１１】
上記挿入検知スイッチは、上記プラグ挿抜口に上記プラグが挿入されていないときには上記揺動コンタクトが上記被接触コンタクトから離間しており、上記プラグ挿抜口に上記プラグが挿入されたときにはそのプラグが当接することで上記揺動コンタクトが弾性変形して上記被接触コンタクトと接触する常開接点タイプであってもよい。
【００１２】
上記挿入検知スイッチは、上記プラグ挿抜口に上記プラグが挿入されていないときには上記揺動コンタクトが上記被接触コンタクトと接触しており、上記プラグ挿抜口に上記プラグが挿入されたときにはそのプラグが当接することで上記揺動コンタクトが弾性変形して上記被接触コンタクトから離間する常閉接点タイプであってもよい。
【００１３】
第２の発明は、上述した接続感知機能付きレセプタクルを回路基板に実装した構造であって、上記回路基板に、上記揺動コンタクトと上記被接触コンタクトとの接触離間を検出するための電気回路を設け、該電気回路は、上記揺動コンタクト及び上記被接触コンタクトの一方に接続された電源ラインと、他方に接続されたアースラインと、上記揺動コンタクトと上記被接触コンタクトとが接触したとき、これら両コンタクトがアースされることで、一方のコンタクトに印加されている電圧が変化することを検出するための検出ラインとを有するものである。
【発明の効果】
【００１４】
本発明によれば、プラグがレセプタクルに嵌合して両者が電気的に接続したことを感知し得る機能を備えた接続感知機能付きレセプタクルにおいて、規格によってその形状等が細かく定められたレセプタクルとプラグ、より具体的にはＨＤＭＩ規格のレセプタクル・プラグに適用し得る、即ちレセプタクルとプラグの嵌合に係わる主要部に一切の変更を加えることなく、しかも実装性なども損なうことのない接続感知機能付きレセプタクル及びその実装構造を提供できる。
【発明を実施するための最良の形態】
【００１５】
以下、本発明を前記ＨＤＭＩ規格のソケットに適用した例につき、添付図面に基づいて説明する。
【００１６】
図１、図２に示すように、本実施形態に係る接続感知機能付きレセプタクル１は、プラグが挿抜されるプラグ挿抜口２が形成された金属製（板金製）のレセプタクルシェル５と、レセプタクルシェル５の内部に設けられたレセプタクル本体６とから主に構成され、例えばＴＶセット内に配設される。
【００１７】
レセプタクルシェル５は、金属板を筒状とした筒状部５Ｘを有し、その筒状部５Ｘの一端にプラグ挿抜口２が開口され他端がレセプタクル本体６で塞がれ、内部にプラグ受け入れ空間８０が形成されている。プラグ受け入れ空間８０には、図１の左方から進入して来た図示しないプラグが、プラグ挿抜口２を通って収納される。
【００１８】
レセプタクルシェル５には、プラグ挿抜口２を通ってプラグ受け入れ空間８０に収容されたプラグを弾性的に支持するスプリング部１１と、シェル５（即ちレセプタクル１）をＴＶセットのシャシ等に固定するための取付孔１４が形成されたフランジ１５と、シェル５にレセプタクル本体６を固定するための係止爪１２と、シェル５を回路基板に固定するための取付脚９とが、夫々一体的に形成されている。取付脚９は、回路基板に設けられた取付穴を貫通し、回路基板の裏面に形成された導体パターン（ＧＮＤパターン）に半田付けされる。
【００１９】
かかるレセプタクルシェル５の内部には、レセプタクル本体６が装着されている。レセプタクル本体６は、上記係止爪１２によってレセプタクルシェル５の内部に固定されたモールディング部７と、モールディング部７に配設された複数の端子３とを備えている。モールディング部７は、係止爪１２によりレセプタクルシェル５の内部に固定された基部７１と、基部７１からプラグ挿抜口２の方向に延出された平板状の端子台８とを有する。端子台８の上下両面には、端子３が複数整列して配設されている。
【００２０】
端子３は、端子台８上に位置付けされる接触部３１と、接触部３１に連なると共にモールディング部７の基部７１を貫通するアーム部３２と、アーム部３２から直角に屈曲した（屈曲せずにストレートでもよい）レッグ部３３と、レッグ部３３の先端にあって図示しない回路基板に設けた導体パターンに半田付けされるリード部３４とから構成される（図３、図４、図５参照）。
【００２１】
なお、本実施例に係るＨＤＭＩ規格のレセプタクル１にあっては、端子３は、端子台８の上面に１０本、同下面に９本の計１９本が配設されており、その内、６本がＧＮＤ端子、１３本が信号端子となっている。ＧＮＤ端子は回路基板のＧＮＤ用導体パターンに半田付けされ、信号端子は同回路基板の信号用導体パターンに半田付けされる。
【００２２】
また、レセプタクル本体６には、図２、図５に示すように、各端子３を支持するため、樹脂製の上部ブロック６１と下部ブロック６２とが取り付けられている。各端子３は、そのレッグ部３３が下部ブロック６２に形成された支持孔６３に挿入されて支持され、アーム部３２が上部ブロック６１の下面に支持される。
【００２３】
図３に示すように、レセプタクル１には、プラグの挿抜を感知するため、揺動コンタクト４０Ａと被接触コンタクト４０Ｂとを有する２レバー式の挿入検知スイッチ４０Ｃが備えられている。
【００２４】
揺動コンタクト４０Ａ及び被接触コンタクト４０Ｂは、レセプタクル本体６を構成するモールディング部７の基部７１に夫々装着されている。基部７１は、プラグ挿抜口２の奥部に配置され、プラグ挿抜口２からプラグ受け入れ空間８０内に挿入されたプラグの先端が当接する当接面部７１Ｘを有する。当接面部７１Ｘには、プラグの挿入方向に凹状に（窪ませて）形成された収容部７１Ｙが形成されている。収容部７１Ｙには、プラグ挿抜口２から挿入されたプラグの先端が当接することでプラグ挿入方向に弾性変形する揺動コンタクト４０Ａと、弾性変形前の揺動コンタクト４０Ａからは離間しており弾性変形後の揺動コンタクト４０Ａと接触する被接触コンタクト４０Ｂとが装着されている。すなわち、揺動コンタクト４０Ａと被接触コンタクト４０Ｂとは、常開接点タイプの挿入検知スイッチ４０Ｃを構成する。但し、挿入検知スイッチ４０Ｃは後述するように常閉接点タイプでも構わない。
【００２５】
揺動コンタクト４０Ａは、図３、図５に示すように、モールディング部７の基部７１の収容部７１Ｙに形成された嵌入孔７２に圧入される幅広の固定部４６Ａと、固定部４６Ａからレセプタクル１の幅方向（端子３の並設方向）に延出されたアーム部４２Ａと、アーム部４２Ａの先端に設けられた接触部４３Ａと、固定部４６Ａからレセプタクル１の厚さ方向（板状の端子台８と直交する方向）に延出されたレッグ部４４Ａと、レッグ部４４Ａの先端にあって前記端子３のリード部３４と同様に図示せぬ回路基板に設けた取付穴を貫通してその裏面に用意した接続感知検出用導体パターン（信号用でもＧＮＤ用でもなく、検出用）に半田付けされるリード部４５Ａとを備えている。
【００２６】
被接触コンタクト４０Ｂは、図３、図５に示すように、基部７１の収容部７１Ｙに形成された嵌入孔７２に圧入される幅広の固定部４６Ｂと、固定部４６Ｂからレセプタクル１の幅方向に延出されたアーム部４２Ｂと、アーム部４２Ｂの先端に設けられた接触部４３Ｂと、固定部４６Ｂからレセプタクル１の厚さ方向に延出されたレッグ部４４Ｂと、レッグ部４４Ｂの先端にあって前記端子３のリード部３４と同様に図示せぬ回路基板に設けた取付穴を貫通してその裏面に用意した接続感知検出用導体パターン（信号用でもＧＮＤ用でもなく、検出用）に半田付けされるリード部４５Ｂとを備えている。
【００２７】
揺動コンタクト４０Ａの固定部４６Ａが圧入される嵌入孔７２と、被接触コンタクト４０Ｂの固定部４６Ｂが圧入される嵌入孔７２とは、レセプタクル１の幅方向に間隔を隔てて配置されており、揺動コンタクト４０Ａのアーム部４２Ａと被接触コンタクト４０Ｂのアーム部４２Ｂとは、レセプタクル１の幅方向内方に夫々向き合うように延出されている。揺動コンタクト４０Ａのアーム部４２Ａ及び接触部４３Ａは、被接触コンタクト４０Ｂのアーム部４２Ｂ及び接触部４３Ｂよりも、夫々プラグ挿入方向の手前側に配置されている。また、揺動コンタクト４０Ａのアーム部４２Ａ及び接触部４３Ａは、基部７１の当接面部７１Ｘよりもプラグ挿入方向の手前側に配置されている。
【００２８】
プラグがプラグ挿抜口２からプラグ受け入れ空間８０の奥まで挿入されると、プラグの先端によって揺動コンタクト４０Ａの接触部４３Ａが押され、揺動コンタクト４０Ａのアーム部４２Ａがプラグ挿入方向に弾性変形して被接触コンタクト４０Ｂの接触部４３Ｂと接触し、被接触コンタクト４０Ｂのアーム部４２Ｂもプラグ挿入方向に弾性変形する。弾性変形した各アーム部４２Ａ、４２Ｂ及び各接触部４３Ａ、４３Ｂは、基部７１に凹設された収容部７１Ｙの内部に収容され、プラグの先端が基部７１の当接面部７１Ｘに適切に当接することを妨げない。
【００２９】
なお、揺動コンタクト４０Ａと被接触コンタクト４０Ｂとは、挿入されたプラグに押圧されて接触すればよく、上述の構成に限られない。例えば、揺動コンタクト４０Ａの固定部４６Ａが圧入される嵌入孔７２と、被接触コンタクト４０Ｂの固定部４６Ｂが圧入される嵌入孔７２とを、共にレセプタクル１の幅方向の一方に配置し、揺動コンタクト４０Ａのアーム部４２Ａと被接触コンタクト４０Ｂのアーム部４２Ｂとを同方向（レセプタクル１の幅方向の他方の方向）に延出させてもよい。また、被接触コンタクト４０Ｂのアーム部４２Ｂは殆ど動かず、揺動コンタクト４０Ａのアーム部４２Ａのみが可動する構造でも構わない。
【００３０】
上述したレセプタクル１が実装される回路基板には、揺動コンタクト４０Ａと被接触コンタクト４０Ｂとが接触したことを検出するための電気回路が設けられている。図６に示すように、電気回路には、両コンタクト４０Ａ、４０Ｂの一方に接続された電源ラインＸと、両コンタクト４０Ａ、４０Ｂの他方に接続されたアースラインＺと、両コンタクト４０Ａ、４０Ｂが接触したとき、両コンタクト４０Ａ、４０Ｂがアースされることで、一方のコンタクト４０Ａ（又は４０Ｂ）に印加されている電圧が高から低に変化することを検出するための検出ラインＹとが形成されている。
【００３１】
すなわち、ＴＶセット等の電気回路中に配された検出ラインＹには、図６に示すプラグＰがレセプタクル１に嵌合しておらず揺動コンタクト４０Ａが被接触コンタクト４０Ｂから離間している状態ではＨｉｇｈの信号（５Ｖの電圧）が作用しているが、プラグＰがレセプタクル１内に進入して揺動コンタクト４０Ａが被接触コンタクト４０Ｂに接触すると、揺動コンタクト４０Ａ−被接触コンタクト４０Ｂ−回路基板のＧＮＤパターンの回路が成立し、アースした状態となり、上記Ｈｉｇｈの信号からＬｏｗの信号（０Ｖの電圧）に切り替わる。よって、この電圧の変化によりプラグＰとレセプタクル１との嵌合を感知できる。
【００３２】
なお、図６にて、Ｅは電源（５Ｖ）、Ｒは抵抗、Ｓは揺動コンタクト４０Ａ−被接触コンタクト４０Ｂの接断を示すスイッチ機能である。
【００３３】
本実施形態の作用を述べる。
【００３４】
本実施形態に係るレセプタクル１及びその実装構造によれば、上述したように、プラグＰがレセプタクル１に嵌合して両者が電気的に接続したことを感知することができる。
【００３５】
ここで斯様な接続感知機能を得るためにレセプタクル１に施した変更点は、揺動コンタクト４０Ａと被接触コンタクト４０Ｂとをレセプタクル本体６のモールディング部７（基部７１）に組み込んだ点のみで、レセプタクル１の要部、すなわちＨＤＭＩ規格で配列・寸法等が拘束されている主要部（端子台８上に位置付けされる端子３）への変更は皆無である。よって、プラグＰ側の変更は要しない。
【００３６】
より詳細に説明するに、揺動コンタクト４０Ａと被接触コンタクト４０Ｂとは、プラグ挿抜口２から見て一番奥の基部７１に配設されているので、プラグ受け入れ空間８０やプラグ挿抜口２や端子台８の形状等に何等の変化も及ぼさず、よって、プラグＰの嵌合には一切影響を与えない。従って、プラグＰの形状変更は不要であり、プラグＰの製造コストアップは一切生じない。
【００３７】
また、レセプタクル１への改変に関しては、揺動コンタクト４０Ａ及び被接触コンタクト４０Ｂのレセプタクル１への組み込みに伴って、モールディング部７の基部７１に収容部７１Ｙを設けるのみの変更に止まっているため、モールディング部７の成型金型を小改造するのみで、即ち極めて低コストで対応できる。また、シェル５の強度・剛性、シェル５の防電磁波性能が損なわれることはない。
【００３８】
また、揺動コンタクト４０Ａ及び被接触コンタクト４０Ｂのレセプタクル１への組み込みは、図３に示すように、モールディング部７の基部７１におけるデッドスペース（基部７１の当接面部７１Ｘのプラグ挿入方向奥側の部分）を利用しているので、レセプタクル１の大型化に繋がることはなく、その実装性が損なわれることはない。
【００３９】
回路基板への改変に関しては、図６に示すように、プラグＰとレセプタクル１との嵌合感知のため、電気的にはＨｉｇｈの信号を揺動コンタクト４０Ａ（又は被接触コンタクト４０Ｂ）に印加するだけなので、電気回路としては揺動コンタクト４０Ａ用の導体パターンと被接触コンタクト４０Ｂ用の導体パターンとを回路基板に追加するだけで済み、低コストで対応できる。
【００４０】
揺動コンタクト４０Ａ及び被接触コンタクト４０Ｂは、モールディング部７の基部７１にプラグ挿入方向に凹設された収容部７１Ｙに装着されており、その収容部７１Ｙは、揺動コンタクト４０Ａ及び被接触コンタクト４０ＢがプラグＰに押されて最大に変位した場合でも、変位した揺動コンタクト４０Ａ及び被接触コンタクト４０Ｂを十分収容できるスペースを有している。よって、プラグＰを、その先端が基部７１の当接面部７１Ｘに当接するまで、適切にレセプタクル１に押し込むことができる。
【００４１】
図４に示すように、揺動コンタクト４０Ａのレッグ部４４Ａ、被接触コンタクト４０Ｂのレッグ部４４Ｂは、端子３のレッグ部３３と略平行に配設され、共に同じ回路基板に実装される。よって、揺動コンタクト４０Ａのレッグ部４４Ａ、被接触コンタクト４０Ｂのレッグ部４４Ｂは、実装のための無駄な這い回しが一切不要であり、各々最短距離で回路基板の導体パターンに到達できる。また、揺動コンタクト４０Ａのレッグ部４４Ａ、被接触コンタクト４０Ｂのレッグ部４４Ｂ、端子３のレッグ部３３は、夫々の間が十分離れているので、回路基板への半田付けに際してブリッジが生成されるようなこともなく、従ってその実装作業性も損なわれない。
【００４２】
また、プラグＰとレセプタクル１との嵌合感知のための挿入検知スイッチ４０Ｃを、揺動コンタクト４０Ａと被接触コンタクト４０Ｂとの二つに分けることで、レセプタクル１全体の回路基板への半田付け強度が増すと共に、コンタクト４０Ａ、４０Ｂ同士の接触信頼性の向上を図ることができる。
【００４３】
本発明は上記実施形態に限定されるものではない。
【００４４】
例えば、回路基板への実装方式としてディッピング方式の例をもって説明したが、勿論表面実装方式であってもよい。
【００４５】
また、レセプタクル１をプラグ挿入方向に垂直に回路基板に実装してもよい。即ち図４のレセプタクル１の右面部（プラグ挿入方向の突当り面部）を回路基板への実装面としてもよい。この場合、端子３のレッグ部３３、揺動コンタクト４０Ａのレッグ部４４Ａ、被接触コンタクト４０Ｂのレッグ部４４Ｂは、直角に屈曲されることなくストレート状とされ、図４のレセプタクル１の右面部から突出される。
【００４６】
また、上述した実施形態では、揺動コンタクト４０Ａ及び被接触コンタクト４０Ｂはモールディング部７の嵌入孔７２に圧入する例を示して説明したが、これに限られず、揺動コンタクト４０Ａ及び被接触コンタクト４０Ｂを別のインシュレーション部品にインサート成形した後、そのインシュレーション部品を上記嵌入孔７２と同様の孔に嵌入してもよい。
【００４７】
本実施形態では、プラグＰをレセプタクル１に挿入したとき、プラグＰの先端がレセプタクル１のモールディング部の７の基部７１（当接面部７１Ｘ）に当接すると述べたが、当接しなくても構わない。挿入されたプラグＰの先端が揺動コンタクト４０Ａに当接し、揺動コンタクト４０Ａが弾性変形すれば本発明は成立する。
【００４８】
本実施形態では、挿入検知スイッチ４０Ｃは、プラグ挿抜口２にプラグＰが挿入されていないときには揺動コンタクト４０Ａが被接触コンタクト４０Ｂから離間しており、プラグ挿抜口２にプラグＰが挿入されたときにはそのプラグＰが当接することで揺動コンタクト４０Ａが弾性変形して被接触コンタクト４０Ｂと接触する常開接点タイプである例を述べたが、これには限られない。
【００４９】
すなわち、挿入検知スイッチ４０Ｃは、プラグ挿抜口２にプラグＰが挿入されていないときには揺動コンタクト４０Ａが被接触コンタクト４０Ｂと接触しており、プラグ挿抜口２にプラグＰが挿入されたときにはそのプラグＰが当接することで揺動コンタクト４０Ａが弾性変形して被接触コンタクト４０Ｂから離間する常閉接点タイプであっても構わない。この場合、図６に示す検出ラインＹの電圧は低（０Ｖ）から高（５Ｖ）に変化することになり、それに基づいてプラグＰがレセプタクル１に挿入されたことを感知できる。
【図面の簡単な説明】
【００５０】
【図１】本発明の一実施形態を示す接続感知機能付きレセプタクルの斜視図である。
【図２】図１に示す接続感知機能付きレセプタクルの斜視縦断面図である。
【図３】図１に示す接続感知機能付きレセプタクルを底面側から見た斜視横断面図である。
【図４】図１に示す接続感知機能付きレセプタクルを底面側から見た斜視図である。
【図５】図１に示す接続感知機能付きレセプタクルの分解図である。
【図６】図１に示す接続感知機能付きレセプタクルにプラグが嵌合したか否かを検知するための電気回路である。
【図７】従来例を示すソケット（レセプタクル）及びプラグの説明図である。
【符号の説明】
【００５１】
１  レセプタクル
２  プラグ挿抜口
４０Ａ  揺動コンタクト
４０Ｂ  被接触コンタクト
４０Ｃ  挿入検知スイッチ
６  レセプタクル本体
７１Ｙ  収容部
Ｐ  プラグ
Ｘ  電源ライン
Ｙ  検出ライン
Ｚ  アースライン
【図１】
2008262776.tif 000003
【図２】
2008262776.tif 000004
【図３】
2008262776.tif 000005
【図４】
2008262776.tif 000006
【図５】
2008262776.tif 000007
【図６】
2008262776.tif 000008
【図７】
2008262776.tif 000009